(57)【要約】      （修正有）【課題】用紙エッジ傷の発生を防止することが可能な画像形成装置を提供する。【解決手段】画像形成装置１００は、トナー像が形成された記録用紙を定着ニップ部により加熱および加圧して、記録用紙にトナー像を定着させる定着ユニット１６１と、定着ユニット１６１を記録用紙の搬送方向に直交する方向に揺動させる揺動部１８０と、所定の画像形成条件に応じて定着ユニット１６１の直交方向における単位時間あたりの移動量を変更するよう揺動部１８０を制御する制御部２００とを備える。具体的には、制御部２００は、記録用紙が定着ニップ部を通過中である場合、定着ユニット１６１の移動量を、記録用紙が定着ニップ部を通過中でない場合よりも大きくするように制御する。よって、記録用紙のエッジ部分と定着ベルトとの接触時間が短くなり、用紙エッジ傷の発生を防止することができる。【選択図】図２
2013242478.tif 000002
【特許請求の範囲】
【請求項１】
トナー像が形成された記録用紙を定着ニップ部により加熱および加圧して、当該記録用紙に前記トナー像を定着させる定着ユニットと、
前記定着ユニットを前記記録用紙の搬送方向に直交する方向に揺動させる揺動部と、
所定の画像形成条件に応じて前記定着ユニットの直交方向における単位時間あたりの移動量を変更するよう前記揺動部を制御する制御部と、
を備える画像形成装置。
【請求項２】
前記画像形成条件は、前記記録用紙が前記定着ニップ部を通過中であるか否かであり、
前記制御部は、前記記録用紙が前記定着ニップ部を通過中である場合、前記移動量を、前記記録用紙が前記定着ニップ部を通過中でない場合よりも大きくするよう前記揺動部を制御する請求項１に記載の画像形成装置。
【請求項３】
前記画像形成条件は、前記記録用紙の坪量であり、
前記制御部は、前記坪量が大きいほど前記移動量を大きくするよう前記揺動部を制御する請求項１に記載の画像形成装置。
【請求項４】
前記所定の画像形成条件は、前記記録用紙の紙種であり、
前記制御部は、前記記録用紙が普通紙である場合、前記移動量を、前記記録用紙がコート紙である場合よりも大きくするよう前記揺動部を制御する請求項１に記載の画像形成装置。
【請求項５】
前記所定の画像形成条件は、前記画像形成装置周囲の絶対湿度であり、
前記制御部は、前記絶対湿度が低いほど前記移動量を大きくするよう前記揺動部を制御する請求項１に記載の画像形成装置。
【請求項６】
前記所定の画像形成条件は、前記定着ユニットにおける定着速度であり、
前記制御部は、前記定着速度が速いほど前記移動量を大きくするよう前記揺動部を制御する請求項１に記載の画像形成装置。
【請求項７】
前記所定の画像形成条件は、前記定着ユニットにおける定着温度であり、
前記制御部は、前記定着温度が低いほど前記移動量を大きくするよう前記揺動部を制御する請求項１に記載の画像形成装置。
【発明の詳細な説明】
【技術分野】
【０００１】
本発明は、画像形成装置に関する。
【背景技術】
【０００２】
一般に、電子写真プロセスにより画像を形成する画像形成装置では、像担持体（感光体ドラム等）の表面が所定の電位に帯電され、これに画像露光が施されて静電潜像が形成される。そして、この感光体ドラム表面の潜像が現像手段により現像剤（トナー）を用いて現像され、トナー画像として可視化される。得られたトナー画像が感光体ドラムに搬送された記録用紙に転写され、トナー画像を担持した記録用紙が定着ユニットに搬送され、定着ユニットにより記録用紙上の未定着トナー画像が加熱定着されて、記録用紙上に画像が形成される。
【０００３】
ところで、画像形成装置では、定着ユニットにおいて同一サイズの記録用紙を多量に処理する場合、当該記録用紙のエッジ部分が定着ユニットの定着ローラー上の同一位置に常に接することが起きる。そのため、定着ローラーにおいて記録用紙のエッジ部分が当接する位置には、当該定着ローラーの円周に沿って傷（以下、用紙エッジ傷という）が付き、その用紙エッジ傷により画像品質が劣化するという問題が知られている。
【０００４】
この問題を解決するため、定着ユニットを記録用紙の搬送方向に直交する方向に揺動させることにより、記録用紙のエッジ部分が定着ローラーと当接する位置を常に変化させるようにした画像形成装置が開発されている（例えば、特許文献１を参照）。
【先行技術文献】
【特許文献】
【０００５】
【特許文献１】特開２００４−２７４５５８号公報
【発明の概要】
【発明が解決しようとする課題】
【０００６】
しかしながら、上記特許文献１に記載の技術では、定着ユニットを揺動させる際の画像形成条件によっては、用紙エッジ傷の発生を防止することができない場合があるという問題があった。
【０００７】
本発明は、用紙エッジ傷の発生を防止することが可能な画像形成装置を提供することを目的とする。
【課題を解決するための手段】
【０００８】
本発明に係る画像形成装置は、
トナー像が形成された記録用紙を定着ニップ部により加熱および加圧して、当該記録用紙に前記トナー像を定着させる定着ユニットと、
前記定着ユニットを前記記録用紙の搬送方向に直交する方向に揺動させる揺動部と、
所定の画像形成条件に応じて前記定着ユニットの直交方向における単位時間あたりの移動量を変更するよう前記揺動部を制御する制御部と、
を備える。
【発明の効果】
【０００９】
本発明によれば、用紙エッジ傷の発生を防止することが可能な画像形成装置を提供することができる。
【図面の簡単な説明】
【００１０】
【図１】本発明に係る実施の形態を示す画像形成装置の縦断面図である。
【図２】本発明に係る実施の形態を示す画像形成装置の制御ブロック図である。
【図３】本発明に係る実施の形態を示す定着ユニットの構成を示す図である。
【図４】本発明に係る実施の形態を示す定着ユニットの揺動機構を示す図である。
【図５】記録用紙の坪量および定着ユニットの移動量に応じた用紙エッジ傷の発生状況を示す図である。
【図６】本発明に係る実施の形態を示す定着ユニットの構成を示す図である。
【発明を実施するための形態】
【００１１】
以下、本発明に係る実施の形態を図面に基づいて詳細に説明する。図１、２に示す画像形成装置１００は、電子写真プロセス技術を利用した中間転写方式のカラー画像形成装置である。画像形成装置１００は、感光体上に形成されたＣ（シアン）、Ｍ（マゼンタ）、Ｙ（イエロー）、Ｋ（ブラック）の各色トナー像を中間転写体に転写（一次転写）し、中間転写体上で４色のトナー像を重ね合わせた後、記録用紙に転写（二次転写）することにより、画像を形成する。
【００１２】
画像形成装置１００には、ＣＭＹＫの４色に対応する感光体を中間転写体の走行方向に直列配置し、中間転写体に一回の手順で各色トナー像を順次転写させるタンデム方式が採用されている。
【００１３】
画像形成装置１００は、画像読取部１１０、操作表示部１２０、画像処理部１３０、画像形成部１４０、搬送部１５０、定着部１６０、揺動部１８０、温湿度検出部１８２、用紙位置検出部１８４ａ，１８４ｂおよび制御部２００を備える。
【００１４】
制御部２００は、ＣＰＵ（Central  Processing  Unit）２０１、ＲＯＭ（Read  Only  Memory）２０２、ＲＡＭ（Random  Access  Memory）２０３等を備えている。ＣＰＵ２０１は、ＲＯＭ２０２から処理内容に応じたプログラムを読み出してＲＡＭ２０３に展開し、展開したプログラムと協働して画像形成装置１００の各ブロックの動作を集中制御する。このとき、記憶部１７２に格納されている各種データが参照される。記憶部１７２は、例えば不揮発性の半導体メモリ（いわゆるフラッシュメモリ）やハードディスクドライブで構成される。
【００１５】
制御部２００は、通信部１７１を介して、ＬＡＮ（Local  Area  Network）、ＷＡＮ（Wide  Area  Network）等の通信ネットワークに接続された外部の装置（例えばパーソナルコンピュータ）との間で各種データの送受信を行う。制御部２００は、例えば、外部の装置から送信された画像データを受信し、この画像データ（入力画像データ）に基づいて記録用紙に画像を形成させる。通信部１７１は、例えばＬＡＮカード等の通信制御カードで構成される。
【００１６】
画像読取部１１０は、ＡＤＦ（Auto  Document  Feeder）と称される自動原稿給紙装置１１１および原稿画像走査装置（スキャナー）１１２等を備える。
【００１７】
自動原稿給紙装置１１１は、原稿トレイに載置された原稿Ｄを搬送機構により搬送して原稿画像走査装置１１２へ送り出す。自動原稿給紙装置１１１は、原稿トレイに載置された原稿Ｄの画像（両面を含む）を連続的に読み取ることができる。
【００１８】
原稿画像走査装置１１２は、自動原稿給紙装置１１１からコンタクトガラス上に搬送された原稿Ｄまたはコンタクトガラス上に載置された原稿Ｄを光学的に走査し、原稿Ｄからの反射光をＣＣＤ（Charge  Coupled  Device）センサー１１２ａの受光面上に結像させ、原稿画像を読み取る。画像読取部１１０は、原稿画像走査装置１１２による読取結果に基づいて入力画像データを生成する。この入力画像データには、画像処理部１３０において所定の画像処理が施される。
【００１９】
操作表示部１２０は、例えばタッチパネル付の液晶ディスプレイ（ＬＣＤ：Liquid  Crystal  Display）で構成され、表示部１２１および操作部１２２として機能する。表示部１２１は、制御部２００から入力される表示制御信号に従って、各種操作画面、画像の状態表示、各機能の動作状況等の表示を行う。操作部１２２は、テンキー、スタートキー等の各種操作キーを備え、ユーザーによる各種入力操作を受け付けて、操作信号を制御部２００に出力する。
【００２０】
画像処理部１３０は、入力画像データに対して、初期設定またはユーザー設定に応じたデジタル画像処理を行う回路等を備える。例えば、画像処理部１３０は、制御部２００の制御下で、階調補正データ（階調補正テーブル）に基づいて階調補正を行う。また、画像処理部１３０は、入力画像データに対して、階調補正の他、色補正、シェーディング補正等の各種補正処理や、圧縮処理等を施す。これらの処理が施された画像データに基づいて、画像形成部１４０が制御される。
【００２１】
画像形成部１４０は、入力画像データに基づいて、Ｙ成分、Ｍ成分、Ｃ成分、Ｋ成分の各有色トナーによる画像を形成するための画像形成ユニット１４１Ｙ、１４１Ｍ、１４１Ｃ、１４１Ｋおよび中間転写ユニット１４２等を備える。
【００２２】
Ｙ成分、Ｍ成分、Ｃ成分、Ｋ成分用の画像形成ユニット１４１Ｙ、１４１Ｍ、１４１Ｃ、１４１Ｋは、同様の構成を有する。図示および説明の便宜上、共通する構成要素は同一の符号で示し、それぞれを区別する場合には符号にＹ、Ｍ、ＣまたはＫを添えて示すこととする。図１では、Ｙ成分用の画像形成ユニット１４１Ｙの構成要素についてのみ符号が付され、その他の画像形成ユニット１４１Ｍ、１４１Ｃ、１４１Ｋの構成要素については符号が省略されている。
【００２３】
画像形成ユニット１４１の構成を画像形成ユニット１４１Ｙにより説明する。画像形成ユニット１４１Ｙは、露光装置１４１１、現像装置１４１２、感光体ドラム１４１３、帯電装置１４１４およびドラムクリーニング装置１４１５等を備えている。
【００２４】
感光体ドラム１４１３は、例えばアルミニウム製の導電性円筒体（アルミ素管）の周面に、アンダーコート層（ＵＣＬ：Under  Coat  Layer）、電荷発生層（ＣＧＬ：Charge  Generation  Layer）、電荷輸送層（ＣＴＬ：Charge  Transport  Layer）を順次積層した負帯電型の有機感光体（ＯＰＣ：Organic  Photo-conductor）である。
【００２５】
帯電装置１４１４は、光導電性を有する感光体ドラム１４１３の表面を一様に負極性に帯電させる。露光装置１４１１は、例えば半導体レーザーで構成され、感光体ドラム１４１３に対して各色成分の画像に対応するレーザー光を照射する。感光体ドラム１４１３の電荷発生層で正電荷が発生し、電荷輸送層の表面まで輸送されることにより、感光体ドラム１４１３の表面電荷（負電荷）が中和される。感光体ドラム１４１３の表面には、周囲との電位差により各色成分の静電潜像が形成される。
【００２６】
現像装置１４１２は、各色成分の現像剤（例えば、小粒径のトナーと磁性体とからなる二成分現像剤）を収容しており、感光体ドラム１４１３の表面に各色成分のトナーを付着させることにより静電潜像を可視化してトナー像を形成する。
【００２７】
ドラムクリーニング装置１４１５は、感光体ドラム１４１３の表面に摺接されるドラムクリーニングブレードを有する。一次転写後に感光体ドラム１４１３の表面に残存する転写残トナーは、ドラムクリーニングブレードによって掻き取られ、除去される。
【００２８】
中間転写ユニット１４２は、中間転写体となる中間転写ベルト１４２１、一次転写ローラー１４２２、二次転写ローラー１４２３、駆動ローラー１４２４、従動ローラー１４２５およびベルトクリーニング装置１４２６等を備えている。
【００２９】
中間転写ベルト１４２１は無端状ベルトで構成され、駆動ローラー１４２４および従動ローラー１４２５に掛け渡される。中間転写ベルト１４２１は、駆動ローラー１４２４の回転により矢印Ａ方向に一定速度で走行する。一次転写ローラー１４２２によって、中間転写ベルト１４２１が感光体ドラム１４１３に圧接されると、中間転写ベルト１４２１に各色トナー像が順次重ねて一次転写される。そして、中間転写ベルト１４２１が二次転写ローラー１４２３によって記録用紙Ｓに圧接されると、中間転写ベルト１４２１に一次転写されたトナー像が記録用紙Ｓに二次転写される。
【００３０】
ベルトクリーニング装置１４２６は、中間転写ベルト１４２１の表面に摺接されるベルトクリーニングブレードを有する。二次転写後に中間転写ベルト１４２１の表面に残存する転写残トナーは、ベルトクリーニングブレードによって掻き取られ、除去される。
【００３１】
定着部１６０は、搬送されてきた記録用紙Ｓを定着ニップ部で加熱、加圧することにより、記録用紙Ｓにトナー像を定着させる。定着部１６０は、定着ユニット１６１とエア分離ユニット１６２とを備える。定着ユニット１６１は、一対の定着部材を圧接することにより形成される定着ニップ部に記録用紙Ｓを通過させて、この記録用紙Ｓ上に転写されたトナー画像に熱源からの熱を与えることにより、記録用紙Ｓにトナー画像を定着させる。エア分離ユニット１６２は、定着ニップ部における記録用紙Ｓの排紙側から記録用紙Ｓに向けて圧縮空気を出力することにより定着部材から記録用紙Ｓを分離する。
【００３２】
搬送部１５０は、給紙部１５１、搬送機構１５２および排紙部１５３等を備える。給紙部１５１を構成する３つの給紙トレイユニット１５１ａ〜１５１ｃには、記録用紙の坪量やサイズ等に基づいて識別された記録用紙（規格用紙、特殊用紙）Ｓがあらかじめ設定された種類ごとに収容される。
【００３３】
給紙トレイユニット１５１ａ〜１５１ｃに収容されている記録用紙Ｓは、最上部から一枚ずつ送出され、レジストローラー１５２ａ等の複数の搬送ローラーを備えた搬送機構１５２により画像形成部１４０に搬送される。このとき、レジストローラー１５２ａが配設されたレジスト部により、給紙された記録用紙Ｓの傾きが補正されるとともに搬送タイミングが調整される。そして、画像形成部１４０において、中間転写ベルト１４２１のトナー像が記録用紙Ｓの一方の面に一括して二次転写され、定着部１６０において定着工程が施される。画像形成された記録用紙Ｓは、排紙ローラー１５３ａを備えた排紙部１５３により画像形成装置１００の外に排紙される。
【００３４】
次に、図３を参照し、定着ユニット１６１の構成について図３を参照しながら説明する。定着ユニット１６１は、ベルト加熱方式により構成される。定着ユニット１６１は、筐体部材２１０を有し、筐体２１０の中に、定着ニップ部を形成する上側加圧部と下側加圧部とを有する。上側加圧部は、加熱部材としての加熱ローラー２１０ｂと、定着部材としての定着ローラー２１０ｃとを有する。加熱ローラー２１０ｂと定着ローラー２１０ｃとの間には、無端状の定着ベルト２１０ａが所定のベルト張力（例えば２５０Ｎ）で張架されている。下側加圧部は、加圧ローラー２１０ｄを有する。なお、下側加圧部は、一対のローラーによって回転駆動されるベルトを備えたベルト構造でも良い。加圧ローラー２１０ｄは、定着ベルト２１０ａを介して定着ローラー２１０ｃに所定の定着荷重（例えば２５００Ｎ）で押圧される。このようにして、定着ローラー２１０ｃと加圧ローラー２１０ｄとの間には、記録用紙Ｓを狭持して搬送する定着ニップ部ＮＰが形成される。
【００３５】
定着ベルト２１０ａは、トナー像が形成された記録用紙Ｓに接触して、この記録用紙Ｓを定着温度（例えば１６０〜２００℃）で加熱する。ここで、定着温度とは、記録用紙Ｓ上のトナーを溶融するのに必要な熱量を供給しうる温度であり、画像形成される記録用紙の紙種等によって異なる。
【００３６】
定着ベルト２１０ａは、例えば、厚さ７０［μｍ］のＰＩ（ポリイミド）から成る基体の外周面を弾性層として厚さ２００［μｍ］の耐熱性のシリコンゴム（硬度ＪＩＳ−Ａ３０［°］）で被覆し、更に、表層に厚さ３０［μｍ］の耐熱性樹脂であるＰＦＡ（パーフルオロアルコキシ）のコーティングをして成る。
【００３７】
加熱ローラー２１０ｂは、定着ベルト２１０ａを加熱する。加熱ローラー２１０ｂは、定着ベルト２１０ａを加熱する加熱手段としてのハロゲンヒーター２１０ｅを内蔵している。ハロゲンヒーター２１０ｅは、例えば、アルミニウム等から形成された円筒状の芯金における外周面をＰＴＦＥでコーティングした樹脂層で被覆されている。なお、ハロゲンヒーター２１０ｅは、異なった紙幅に対応するために、例えば１２００［Ｗ］のものを２本、７５０［Ｗ］のものを２本、５００［Ｗ］のものを１本用いて構成され、記録用紙Ｓの異なる紙幅に対応させて軸方向に異なる発熱分布になるように配置されている。
【００３８】
ハロゲンヒーター２１０ｅの温度は、制御部２００によって制御される。ハロゲンヒーター２１０ｅによって加熱ローラー２１０ｂが加熱され、その結果、定着ベルト２１０ａが加熱される。
【００３９】
定着ローラー２１０ｃは、加圧ローラー２１０ｄとともに、定着ニップ部ＮＰを形成するための加圧部を構成する。定着ローラー２１０ｃの駆動制御（例えば、回転のオン／オフ、回転数等）は、制御部２００によって行われる。
【００４０】
定着ローラー２１０ｃは、例えば、鉄等の金属から形成された中実の芯金を、弾性層として厚さ２０［ｍｍ］の耐熱性のシリコンゴム（硬度ＪＩＳ−Ａ５［°］）で被覆し、さらに、厚さ３０［μｍ］の低摩擦で耐熱性樹脂であるＰＴＦＥでコーティングした樹脂層で被覆したものである。
【００４１】
加圧ローラー２１０ｄは、定着ローラー２１０ｃとともに、定着ニップ部ＮＰを形成するための加圧部を構成する。加圧ローラー２１０ｄは、押圧手段（図示略）により定着ベルト２１０ａを介して定着ローラー２１０ｃに押圧される。加圧ローラー２１０ｄの駆動制御（例えば、回転のオン／オフ、回転数等）は、制御部２００によって行われる。
【００４２】
加圧ローラー２１０ｄは、アルミニウム等から形成された円筒状の芯金の外周面を、弾性層として厚さ１［ｍｍ］の耐熱性のシリコンゴム（硬度ＪＩＳ−Ａ３０［°］）で被覆し、更に、厚さ３０μｍのＰＦＡチューブの樹脂層で被覆したものである。
【００４３】
定着ユニット１６１における定着速度は、例えば、３００〜５００［ｍｍ／ｓ］である。ここで、定着速度とは、定着ローラー２１０ｃと加圧ローラー２１０ｄとによって形成される定着ニップ部ＮＰを、記録用紙Ｓが通過する速度である。
【００４４】
温湿度検出部１８２は、画像形成装置１００周囲、具体的には定着ニップ部ＮＰの近傍に配置されている。温湿度検出部１８２は、画像形成装置１００周囲の温度および相対湿度を検出し、その検出信号を制御部２００に出力する。制御部２００は、温湿度検出部１８２から出力された検出信号を参照し、画像形成装置１００周囲の絶対湿度を算出する。
【００４５】
用紙位置検出部１８４ａ，１８４ｂは、記録用紙Ｓの搬送方向における位置を認識するため、定着ユニット１６１の入口下側部分および出口下側部分にそれぞれ設けられている。用紙位置検出部１８４ａ，１８４ｂは、搬送される記録用紙Ｓの通過を検出すると、その旨の信号（以下、用紙検出信号と称する）を制御部２００に出力する。用紙位置検出部１８４ａ，１８４ｂは、例えば反射型フォトセンサにより構成されるが、これに限定されるものではなく、記録用紙Ｓが通過したことを検出できるセンサーであれば、その検出方式は問わない。
【００４６】
ベース部材２１２は、筐体部材２１０を記録用紙Ｓの搬送方向に直交する方向（以下、直交方向という）に揺動可能に支持する。
【００４７】
次に、定着ユニット１６１を収容する筐体部材２１０の揺動機構について図４を参照しながら説明する。図４は、筐体部材２１０を図３における上面からみた図である。
【００４８】
図４に示すように、画像形成装置１００の操作部１２２側である筐体部材２１０の手前側には、画像形成装置１００本体側に設けられた定着スライドカム２１８が配置されている。また、画像形成装置１００の後側板２１４には、筐体部材２１０の奥側に接し、筐体部材２１０を定着スライドカム２１８側に付勢するスライドバネ２１６が配置されている。定着スライドカム２１８およびスライドバネ２１０は、揺動部１８０として機能する。すなわち、この揺動部１８０により、定着ユニット１６１を直交方向に揺動させる。
【００４９】
図４（ａ）に示す状態では、筐体部材２１０は、スライドバネ２１６の付勢力を受け、筐体部材２１０手前側は、定着スライドカム２１８に押し付けられている。
【００５０】
上述した状態で、図４（ｂ）に示すように定着スライドカム２１８を矢印ｃ方向に軸２２０中心で回転させると、筐体部材２１０はベース部材２１２上で、搬送方向（矢印ａ方向）に直交する方向（矢印ｂ方向）に移動することができる。制御部２００は、定着スライドカム２１８の回転に関する制御（例えば、回転のオン／オフ等）を行う。制御部２００は、揺動部１８０を制御し、定着ユニット１６１を連続的または間欠的に揺動させる。
【００５１】
制御部２００は、所定の画像形成条件に応じて、定着スライドカム２１８の単位時間あたりの回転量を変更することによって、筐体部材２１０（定着ユニット１６１）の直交方向における単位時間あたりの移動量（以下、定着ユニット１６１の移動量という）を変更する。ここで、所定の画像形成条件は、記録用紙Ｓのエッジ部分が定着ベルト２１０ａ上の同一位置に接することによる、用紙エッジ傷の発生のしやすさに影響を与える条件である。例えば、所定の画像形成条件は、記録用紙Ｓが定着ニップ部ＮＰを通過中であるか否か、記録用紙Ｓの坪量、記録用紙Ｓの紙種、画像形成装置１００周囲の絶対湿度、定着ユニット１６１における定着速度、または、定着ユニット１６１における定着温度等である。
【００５２】
制御部２００は、記録用紙Ｓが定着ニップ部ＮＰを通過中である場合（すなわち、用紙位置検出部１８４ａ，１８４ｂの少なくとも一方から用紙検出信号が出力されている場合）、定着ユニット１６１の移動量を、記録用紙Ｓが定着ニップ部ＮＰを通過中でない場合よりも大きくするように制御する。これにより、記録用紙Ｓが定着ニップ部ＮＰを通過中である場合、記録用紙Ｓのエッジ部分と定着ベルト２１０ａとの接触時間が短くなり、用紙エッジ傷の発生を防止することができる。
【００５３】
また、制御部２００は、記録用紙Ｓの坪量が大きいほど定着ユニット１６１の移動量を大きくするように制御する。このように制御している理由は、記録用紙Ｓの坪量が大きいほど記録用紙Ｓは硬化し、記録用紙Ｓのエッジ部分と接触する定着ベルト２１０ａにおいて用紙エッジ傷が発生しやすくなるからである。
【００５４】
また、制御部２００は、記録用紙Ｓが普通紙である場合、定着ユニット１６１の移動量を、記録用紙Ｓがコート紙である場合よりも大きくするように制御する。このように制御している理由は、コート紙ではエッジ処理が悪く、かえりが大きいため、記録用紙Ｓのエッジ部分と接触する定着ベルト２１０ａにおいて用紙エッジ傷が発生しやすくなるからである。
【００５５】
また、制御部２００は、画像形成装置１００周囲の絶対湿度が低いほど定着ユニット１６１の移動量を大きくするように制御する。このように制御している理由は、画像形成装置１００周囲の絶対湿度が低いほど記録用紙Ｓは硬化し、記録用紙Ｓのエッジ部分と接触する定着ベルト２１０ａにおいて用紙エッジ傷が発生しやすくなるからである。
【００５６】
また、制御部２００は、定着ユニット１６１における定着速度が速いほど定着ユニット１６１の移動量を大きくするように制御する。このように制御している理由は、定着速度が速いほど、記録用紙Ｓのエッジ部分と接触する定着ベルト２１０ａにおいて用紙エッジ傷が発生しやすくなるからである。
【００５７】
また、制御部２００は、定着ユニット１６１における定着温度が低いほど定着ユニット１６１の移動量を大きくするように制御する。このように制御している理由は、定着温度が低いほど、記録用紙Ｓのエッジ部分と接触する定着ベルト２１０ａにおいて用紙エッジ傷が発生しやすくなるからである。
【００５８】
以上詳しく説明したように、本実施の形態の画像形成装置１００は、トナー像が形成された記録用紙Ｓを定着ニップ部ＮＰにより加熱および加圧して、記録用紙Ｓにトナー像を定着させる定着ユニット１６１と、定着ユニット１６１を記録用紙Ｓの搬送方向に直交する方向に揺動させる揺動部１８０と、所定の画像形成条件に応じて定着ユニット１６１の直交方向における単位時間あたりの移動量を変更するよう揺動部１８０を制御する制御部２００とを備える。
【００５９】
このように構成した本実施の形態によれば、用紙エッジ傷が発生しやすい条件において、記録用紙Ｓのエッジ部分と定着ベルト２１０ａとの接触時間が短くなり、用紙エッジ傷の発生を防止することができる。よって、定着ベルト２１０ａの耐久性を向上させることができる。
【００６０】
次に、本発明者が行った、本発明の有効性を確認する実験の結果について説明する。実験では、記録用紙（普通紙）の坪量、定着ユニット１６１の移動量を異ならせた各条件において、用紙エッジ傷の発生状況を確認した。図５は、用紙エッジ傷の発生状況を下記評価基準により評価した結果を示す。
【００６１】
（用紙エッジ傷の発生状況）
○：用紙エッジ傷は発生しなかった
△：用紙エッジ傷は発生したが、その用紙エッジ傷は実用上問題とならないレベルである
×：用紙エッジ傷は発生し、その用紙エッジ傷は実用上問題となるレベルである
【００６２】
図５に示すように、坪量が小さい記録用紙Ｓでは定着ユニット１６１の移動量が小さくても用紙エッジ傷は発生しないが、坪量の大きい記録用紙Ｓでは定着ユニット１６１の移動量をおおきくすることで用紙エッジ傷の発生を防止することができた。
【００６３】
なお、上記実施の形態では、スライドバネ２１６により筐体部材２１０を用紙搬送方向に付勢し、筐体部材２１０をスライドカム２１８の回転により移動させる例について説明したが、本発明はこれに限定されるものではない。例えば、筐体部材２１０の長手方向（直交方向）にラックギアを設け、さらにラックギアに噛合して回転するピニオンギアを設けて、ピニオンギアを回転することにより筐体部材２１０を直交方向に移動させる構成としても良い。
【００６４】
また、上記実施の形態において、定着ユニット１６１は、図６に示すように、定着ニップ部ＮＰにおいて記録用紙Ｓを加圧する加圧ローラー２１０ｄ、加圧ローラー２１０ｄとともに定着ニップ部ＮＰを形成する定着ローラー２１０ｃとを備える構成でも良い。この場合も、制御部２００は、所定の画像形成条件に応じて、定着スライドカム２１８の単位時間あたりの回転量を変更することによって、定着ユニット１６１の移動量を変更する。よって、用紙エッジ傷が発生しやすい条件において、記録用紙Ｓのエッジ部分と定着ローラー２１０ｃとの接触時間が短くなり、用紙エッジ傷の発生を防止することができる。
【００６５】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６６】
１００  画像形成装置
１６１  定着ユニット
１８０  揺動部
１８２  温湿度検出部
１８４ａ，１８４ｂ  用紙位置検出部
２００  制御部
【図１】
2013242478.tif 000003
【図２】
2013242478.tif 000004
【図３】
2013242478.tif 000005
【図４】
2013242478.tif 000006
【図５】
2013242478.tif 000007
【図６】
2013242478.tif 000008